(57)【要約】  本発明は人工ナマコリーフを利用したマナマコの海底養殖方法を提供し、マナマコの養殖技術分野に属し、前記人工ナマコリーフは普通コンクリート材料からなる第一リーフボート（１）及び第二リーフボート（２）を含み、前記第一リーフボート（１）及び第二リーフボート（２）は逆「Ｖ」形を呈するように接続され、均一に貫通孔が設置され、一体成型である。前記方法は、１）複数の前記人工ナマコリーフを、逆「Ｗ」形に従ってナマコリーフ施設グループに接合し、前記ナマコリーフ施設グループを「彡」の形で平行に海底に並べる工程と、２）人工ナマコリーフのある海域にナマコ種苗を７〜１５尾／平方メートルの密度で放流し、増殖させる工程と、３）１２〜３６か月後にマナマコを収穫する工程と、を含む。本発明の人工ナマコリーフ及び方法によれば種苗の放流密度を大幅に向上し、増殖の生残率を上げ、育成期間を短縮することができる。
2021515536.tif 000002
【特許請求の範囲】
【請求項１】
人工ナマコリーフであって、
前記ナマコリーフは、普通のコンクリート材料からなる第一リーフボート（１）及び第二リーフボート（２）を備え、
前記第一リーフボート（１）及び第二リーフボート（２）は、逆「Ｖ」形を呈するように接続され、
前記第一リーフボート（１）及び第二リーフボート（２）には、貫通孔（３）が均一に形成され、
前記第一リーフボート（１）及び第二リーフボート（２）は、一体的に形成されていることを特徴とする、人工ナマコリーフ。
【請求項２】
前記第一リーフボート（１）及び第二リーフボート（２）の接続角の内角は、５０〜７０°であることを特徴とする、請求項１に記載の人工ナマコリーフ。
【請求項３】
前記第一リーフボート（１）及び第二リーフボート（２）の接続角の内角は、５５〜６５°であることを特徴とする、請求項２に記載の人工ナマコリーフ。
【請求項４】
前記第一リーフボート（１）及び第二リーフボート（２）のボートの表面は、粗面であることを特徴とする、請求項１又は２に記載の人工ナマコリーフ。
【請求項５】
前記第一リーフボート（１）及び第二リーフボート（２）の厚さは、０．２５〜０．３５ｍであり、
前記第一リーフボート（１）及び第二リーフボート（２）長さは、１．５ｍ〜２．５ｍであり、
前記第一リーフボート（１）及び第二リーフボート（２）の幅は、１．５ｍ〜２．５ｍであることを特徴とする、請求項１又は２に記載の人工ナマコリーフ。
【請求項６】
前記貫通孔は、円形貫通孔であり、
前記円形貫通孔の直径は、０．２〜０．４ｍであることを特徴とする、請求項１に記載の人工ナマコリーフ。
【請求項７】
前記貫通孔は、正多角形の貫通孔であり、
前記正多角形の貫通孔の対角線の長さは、０．２〜０．４ｍであることを特徴とする、請求項１に記載の人工ナマコリーフ。
【請求項８】
前記第一リーフボート（１）及び第二リーフボート（２）自由端側から０．４〜０．６ｍまでの間に貫通孔が設置されていないことを特徴とする、請求項１又は５記載の人工ナマコリーフ。
【請求項９】
１）複数の前記人工ナマコリーフを、ナマコリーフ施設組となるように逆「Ｗ」形に沿って接続し、互いに隣接する二つの前記ナマコリーフ施設組の 間隔が３０〜５０ｍであって、前記ナマコリーフ施設組のうち最も外側の人工ナマコリーフの自由端と海流方向との間の角度が１０〜２５°となるように、前記ナマコリーフ施設組を「彡」の形で平行に海底に並べる工程と、
２）人工ナマコリーフのある海域にナマコ種苗を７〜１５尾／平方メートルの密度で投入し、増殖させる工程と、
３）１２〜３６か月後にマナマコを収穫する工程と、
を含む、請求項１〜８の何れか一項に記載の人工ナマコリーフを利用したマナマコの海底養殖方法。
【請求項１０】
一つの前記ナマコリーフ施設組は、４〜１３個の前記人工ナマコリーフを含むことを特徴とする、請求項９記載の方法。
【請求項１１】
工程２）における前記ナマコ種苗の投入時期は、４〜５月又は１０〜１１月であることを特徴とする、請求項９又は１０記載の方法。
【請求項１２】
工程２）における前記ナマコ種苗の規格は、３０〜５００尾／斤（６０〜１０００尾／Kg）であることを特徴とする、請求項９記載の方法。
【発明の詳細な説明】
【技術分野】
【０００１】
本発明はマナマコの養殖技術分野に属し、特に人工ナマコリーフを利用したマナマコの海底養殖方法に関する。
【背景技術】
【０００２】
マナマコの底撒き増殖は、健康的で生態学的な養殖模式であり、即ち、適切な海域に、一定規格のマナマコ種苗を一定の密度で投入し、それが海底で自然に成長し、増殖し続けるようにすることである。上記適切な海域は2つの種類に分けられ、1つは岩礁または砂石底質の海域であり、ナマコ種苗を直接放流することができる。もう一つは、人工ナマコリーフを投入して、海底の生息地再構築した岩礁、砂石、硬い砂などの底質を含む海域である。上記人工ナマコリーフには、現在、様々な種類があり、材料から主に石材、セメント部材、コンクリート部材、廃漁船と乗り物及びカキ殻などに分けられ、形から主に丸管、立方体、直方体、三角柱、はしご形などに分けられる。人工ナマコリーフの合理的設計と科学的投入は、マナマコを誘惑して集め、マナマコのために遮蔽物を提供する役割を果たすだけでなく、海底の生態学的環境を改善し、生物資源の量を増やして、マナマコが摂食して成長するための餌を提供すること、魚やエビなど水産物を集めることで産出する利益も増加させる。
【０００３】
現在、人工ナマコリーフを投入して、浅瀬における底撒き増殖によるマナマコの生産は主に以下の問題点がある。種苗の放流密度及び養殖の単収が低い。現在、よく使われる石及び人工的に設計されたナマコリーフ部材は海流に対するブロックが生じやすいため、投入する密度は大きくできず、多くが海域面積の３０％を超えないため、マナマコが利用できる付着面積が減少し、種苗の放流密度が低くなり（３〜７尾／平方メートルを超えないのが一般的である）、育成後の単収は多くが５０〜７０ｋｇ／ムー（約７５〜１０５Kg／平方キロメートル） である。生残率が低く、従来のナマコリーフ（石やセメントの部材など）及びその設置方法は多くがマナマコの生息地として用いるが、付着及び遮蔽にする面積が小さく、餌を十分に提供することもできないため、底撒き増殖するマナマコの生残率が低く、とくに、１２０尾／斤（２４０尾／Kg）以下のナマコ種苗を放流した場合、生残率は５０％も満たない。マナマコの成長が遅く、育成期間が長い。マナマコの底撒き増殖は手動で補充する餌を与えることができないため、また、従来のナマコリーフ(石、セメント部材など)及びその設置方法は、水交換に不利であり、水の中の栄養物質や生物餌料資源の繁殖が遅く、量が少ないため、マナマコの生育が遅く、育成期間が長くなる。回収率が低い。従来の石などのナマコリーフ及びその設置方法は不規則な形状やナマコを集まる効果が悪いため、マナマコの設置が割と分散的で、ダイバーの漁獲が困難になる。集魚効果が悪い。従来のナマコリーフは機能が単一で、設置方法においても海流を導く効果及び集魚効果が得られず、または効果が悪く、魚やエビなどの他の副産物の漁獲が少なく、利益が低く、利益率は３０％〜４０％にあるのが一般的である。
【発明の概要】
【発明が解決しようとする課題】
【０００４】
そこで、本発明の目的は、人工ナマコリーフ及び、上記施設を利用して海底でマナマコを養殖する方法を提供することである。上記人工ナマコリーフ及び方法は適切な種苗を放流する密度を大幅に向上させ、増殖生残率を向上させ、育成期間を短縮し、回収率及び他の漁獲物資源の収穫量を向上させることができる。
【課題を解決するための手段】
【０００５】
上記発明目的を実現するために、本発明は以下の技術案を提供する。
人工ナマコリーフであって、上記人工ナマコリーフには普通のコンクリート材料からなる第一のリーフボート（１）及び第二のリーフボート（２）を含み、上記第一のリーフボート（１）と第二のリーフボート（２）は逆「Ｖ」字形に接続され、上記第一リーフボート（１）及び第二リーフボート（２）には貫通孔（３）が均一に設置され、上記第一リーフボート（１）と第二リーフボート（２）は一体成形である。
【０００６】
好ましくは、上記第一リーフボート（１）及び第二リーフボート（２）の接続角の内角は５０〜７０°である。
【０００７】
好ましくは、上記第一リーフボート（１）及び第二リーフボート（２）の接続角の内角は５５〜６５°である。
【０００８】
好ましくは、上記第一リーフボート（１）及び第二リーフボート（２）のボート表面は粗い面である。
【０００９】
好ましくは、上記第一リーフボート（１）及び第二リーフボート（２）の厚さが０．２５〜０．３５ｍであり、上記第一リーフボート（１）及び第二リーフボート（２）の長さが１．５ｍ〜２．５ｍで、上記第一リーフボート（１）及び第二リーフボート（２）の幅が１．５ｍ〜２．５ｍである。
【００１０】
好ましくは、上記貫通孔は円形貫通孔であり、上記円形貫通孔の直径は０．２〜０．４ｍである。
【００１１】
好ましくは、上記貫通孔は正多角形貫通孔であり、上記正多角形貫通孔の対角線は０．２〜０．４ｍである。
【００１２】
好ましくは、上記第一リーフボート（１）及び第二リーフボート（２）の自由端側近くの０．４〜０．６ｍには貫通孔が設置されない。
【００１３】
本発明はまた、
複数の上記人工ナマコリーフを、逆「Ｗ」字型の形状に従ってナマコリーフ施設グループに接合し、上記ナマコリーフ施設グループを、上記隣接する二つのナマコリーフ施設グループの間隔が３０〜５０ｍで、上記ナマコリーフ施設グループのうち、最も外側の人工ナマコリーフの自由端と海流方向との角度が１０〜２５°で、「彡」の形になるように平行に海底に並べる工程と、
人工ナマコリーフのある海域にナマコ種苗を７〜１５尾／平方メートルの密度で放流し、増殖させる工程と、
２〜３６か月後にマナマコを収穫する工程と、
を含む、上記人工ナマコリーフを利用したマナマコを海底養殖する方法を提供する。
【００１４】
好ましくは、上記一つのナマコリーフ施設グループには４〜１３個の上記人工ナマコリーフを含む。
【００１５】
好ましくは、工程２）における上記ナマコ種苗の放流時期は４〜５月または１０〜１１月である。
【００１６】
好ましくは、工程２）における上記ナマコ種苗の規格は３０〜５００尾／斤（６０〜１０００尾／Kg）である。
【発明の効果】
【００１７】
本発明によって提供される人工ナマコリーフの第一リーフボート（１）及び第二のリーフボート（２）は、逆Ｖ字形に接続されて、浅瀬にマナマコを底撒き増殖するのに適し、マナマコ及び生物餌料などの有機物質が付着する面積を増加し、実用性を向上することができる。上記第一リーフボート（１）と第二リーフボート（２）には均一に貫通孔が設置され、マナマコの付着する面積を増加し、単位面積当たりのナマコ種苗の放流量を向上させると同時に、海水の循環を保証し、生態環境への影響を最小限に抑える。
【００１８】
さらに、上記人工ナマコリーフの表面が粗い面であるので、マナマコが付着するのに有利である。
【００１９】
本発明によって提供される上記人工ナマコリーフを利用したマナマコの海底養殖方法は、上記人工ナマコリーフによりナマコリーフ施設グループが構成し、上記ナマコリーフ施設グループを「彡」の形に並べて、上記ナマコリーフ施設グループの設置が海水の流れを妨げないようにして、死水塊の形成を避け、且つナマコリーフの動きを効果的に防ぐことができる。「彡」の形に並べると、バッファを残して、海水の循環を形成するので、マナマコの餌になる栄養物質である海底有機物など交換するのに有利である。人工ナマコリーフの上の円形貫通孔は海水の流速を弱めることができ、底生藻類の繁殖とマナマコが移動して摂食するのに資し、それによってナマコの成長を促進し、他の漁獲物資源の収穫も増やすことができる。
【００２０】
本実施形態によれば、本発明のマナマコの海底養殖方法は、種苗の適切な放流密度を大幅に向上させることができ、１５０尾の種苗である場合、従来の３〜５尾／平方メートルから、８〜１３尾／平方メートルに 向上させることができる。
【００２１】
本発明の方法によれば、放流するナマコ種苗の規格下限を低下させ、ナマコ種苗の生残率を向上させることができ、従来方法によれば、１２０尾／斤（２４０尾／Kg）以下のナマコ種苗の生残率は５０％より低いことに対し、本発明の方法によれば３０尾／斤（６０尾／Kg）のナマコ種苗を投入する場合、ナマコ種苗の生残率は９８％〜１００％に達し、５０尾／斤（１００尾／Kg）の場合９４％〜９６％に達し、１００尾／斤（２００尾／Kg）の場合８９％〜９２％に達し、１５０尾／斤（３００尾／Kg）の場合８４％〜８７％に達し、５００尾／斤（１０００尾／Kg）の場合７６％に達することができる。
【００２２】
本発明の方法は、ナマコ種苗の成長速度を上げることができ、異なる規格グループ別のナマコ種苗の成長率はいずれも改善されている。
【００２３】
本発明の方法はまた回収率を向上させることができ、従来の方法の回収率は約４０％であのに対し、本発明の方法は４５．８％〜５８．２％に達することができる。
【００２４】
本発明の方法はまた、他の漁獲資源の量を１５％以上増加させて、経済的利益を増加させることができる。
【図面の簡単な説明】
【００２５】
【図１】本発明に係る人工ナマコリーフの構造を示す模式図である。
【図２】本発明に係る海底における人工ナマコリーフの配置を示す模式図である。
【発明を実施するための形態】
【００２６】
本発明は人工ナマコリーフを提供し、上記人工ナマコリーフは市販のコンクリート材料からなる第一のリーフボート（１）及び第二のリーフボート（２）を含み、上記第一のリーフボート（１）と第二のリーフボート（２）は逆「Ｖ」形に接続され、上記第一リーフボート（１）及び第二リーフボート（２）には貫通孔が均一に設置され、上記第一リーフボート（１）と第二リーフボート（２）は一体成形である。本発明における人工ナマコリーフの構造は図１に示し、そのうち１が第一リーフボートであり、２が第二リーフボートであり、３が円形貫通孔である。
【００２７】
本発明において、上記人工ナマコリーフの第一のリーフボート（１）と第二のリーフボート（２）は逆「Ｖ」字形に接続され、上記第一リーフボート（１）と第二リーフボート（２）の接続角の内角は５０〜７０°が好ましく、５５〜６５°がより好ましく、６０°が最も好ましい。上記第一リーフボート（１）と第二リーフボート（２）との接続角の内角が上記角度範囲内にあれば、人工ナマコリーフの第一リーフボート及び第二リーフボートと海底の平面とが構造が安定した正三角形またはほぼ正三角形を構成し、リーフ部材全体が海底にしっかり配置されるのに有利であり、海流に移動されにくくなる。内角が小さすぎると、部材の重心が高くなり、且つ海流の推進力を受ける面積が大きくなり、リーフ部材の安定性に不利であると同時に、二つのリーフボートの斜面が急になるので、ナマコなどの生物が付着するのに不利である。内角が大き過ぎると、人工ナマコリーフの第一リーフボート及び第二リーフボートと海底平面の角度が小さくなり、リーフ部材全体の付着できる面積が減る。
【００２８】
本発明における第一リーフボート（１）及び第二リーフボート（２）に均一に貫通孔が設置され、本発明における、上記第一リーフボート及び第二リーフボート（２）の厚さは０．２５〜０．３５ｍが好ましく、０．２８〜０．３２ｍがより好ましく、０．３ｍが最も好ましい。上記第一リーフボート（１）及び第二リーフボート（２）の長さは１．５ｍ〜２．５ｍが好ましく、１．７ｍ〜２．３ｍがより好ましく、２．０ｍが最も好ましい。上記第一リーフボート（１）及び第二リーフボート（２）の幅は１．５ｍ〜２．５ｍが好ましく、１．７〜２．３ｍがより好ましく、２．０ｍが最も好ましい。本発明において、上記貫通孔は円形貫通孔が好ましく、四角形や六角形などの多角形であってもよく、上記円形の直径は０．２〜０．４ｍが好ましく、０．２５〜０．３５ｍがより好ましく、０．３ｍが最も好ましい。上記貫通孔が多角形である場合、上記貫通孔の多角形の対角線の長さは０．２〜０．４ｍが好ましく、０．２５〜０．３５ｍがより好ましく、０．３ｍが最も好ましい。本発明において、好ましくは上記人工ナマコリーフの第一リーフボート（１）及び第二リーフボート（２）の自由端側の０．４〜０．６ｍに円形貫通孔が設置されなく、より好ましくは自由端側０．５ｍに円形貫通孔が設置されない。これは、人工ナマコリーフは海底に投入されたあと、必ずいくらか沈下するので、円形貫通孔が設置されても海流を妨げることを防止する役割を果たせず、円形貫通孔が設置されないことは、上記人工ナマコリーフが海底での安定性を増加し、移動を減少させる。
【００２９】
本発明における、上記人工ナマコリーフの第一リーフボート（１）及び第二リーフボート（２）の材料は市販のコンクリートであり、ラベルがＣ２０−Ｃ３０である市販のコンクリートが好ましい。上記第一リーフボート（１）及び第二リーフボート（２）のボート表面は粗い面であることが好ましく、粗い面はマナマコ及び生物餌料など有機物質が付着するのに有利である。
【００３０】
本発明は
１）複数の上記人工ナマコリーフを、逆「Ｗ」字の形状に従ってナマコリーフ施設グループに接合し、上記ナマコリーフ施設グループを上記隣接する２つのナマコリーフ施設グループの間隔が３０〜５０ｍで、上記ナマコリーフ施設グループのうち、最も外側の人工ナマコリーフの自由端と海流方向との間の角度が１０〜２５°になるように「彡」の形で平行に海底に並べる工程と、
２）ナマコ種苗を７〜１５尾／平方メートルの密度で人工ナマコリーフのある海域に放流し、増殖させる工程と、
３）１２〜３６か月後にマナマコを収穫する工程と、
を含む、上記人工ナマコリーフを用いてマナマコを海底養殖する方法を提供する。
【００３１】
本発明は、人工ナマコリーフを投入する前に適切な海域を選び、上記海域は潮の流れがよく、海底に大きな暗流がない海域が好ましく、上記海域は水質が良好で、無公害で、大量の淡水の注入がないのが好ましく、上記海域の年間の水温変動範囲は、２℃〜２７℃であるのが好ましく、上記海域の海水のPh値変化範囲は７．８〜８．４であることが好ましく、上記海域の塩分濃度の変化範囲は、２５〜３３であることが好ましく、上記海域の海水中の泥含有量は、２０％以下が好ましく、海域の底質は砂利または岩礁が好ましい。
【００３２】
本発明は適切な海域を選択した後、複数の人工ナマコリーフを逆「Ｗ」字型に沿ってナマコリーフ施設グループに接合し、上記ナマコリーフ施設グループを「彡」の形になるように平行に海底に並べる。本発明において、上記ナマコリーフ施設グループには４〜１３個の上記人工ナマコリーフを含むことが好ましく、より好ましくは５〜９個である。本発明において、上記逆「Ｗ」形のナマコリーフ施設グループは海水の流れを妨げず、死水塊の形成を避け、ナマコリーフの動きを効果的に防ぐことがでる。本発明において、上記隣接する二つのナマコリーフ施設グループの間隔は３０〜５０ｍであり、好ましくは３５〜４５ｍであり、最も好ましくは４０ｍである。本発明において、上記人工ナマコリーフの海底における配置を示す模式図は図２に示し、そのうち４が海面であり、５が海底であり、矢印の方向が海流の方向である。本発明において、上記ナマコリーフ施設グループと海流の方向との間の角度「シータ」は１０〜２５°が好ましく、１２〜２２°がより好ましく、１５〜２０°が最も好ましい。上記ナマコリーフ施設グループを「彡」の形に並べると、バッファを残し、海水循環を形成することができ、マナマコの餌になる栄養物質である海底有機物質などの交換に有利である。
【００３３】
本発明は人工ナマコリーフを投入した後、ナマコ種苗を７〜１５尾／平方メートルの密度で人工ナマコリーフがある海域に放流して増殖させる。本発明において、上記ナマコ種苗は飼育後１〜３日間餌をやめたナマコ種苗が好ましく、上記飼育は池で網ケースを用いた飼育と、ワークショップでの飼育を含み、上記ナマコ種苗の規格は３０〜５００尾／斤（６０〜１０００尾／Kg）が好ましく、上記ナマコ種苗の放流密度はナマコ規格に応じて決定することが好ましく、具体的に２５〜３５尾／斤（５０〜７０尾／Kg）のナマコ種苗の放流密度は７〜１０尾／平方メートルであり、４５〜５５尾／斤（９０〜１１０尾／Kg）のナマコ種苗の放流密度は７〜１１尾／平方メートルであり、９０〜１１０尾／斤（１８０〜２２０尾／Kg）のナマコ種苗の放流密度は７．５〜１２尾／平方メートルであり、１４５〜１５５尾／斤（２９０〜３１０尾／Kg）のナマコ種苗の放流密度は８〜１３尾／平方メートルであり、４８０〜５２０尾／斤（９６０〜１０４０尾／Kg）のナマコ種苗の放流密度は９〜１５尾／平方メートルである。本発明において、上記ナマコ種苗の放流時期は海域の位置に応じて決定し、４〜５月又は１０〜１１月が好ましい。本発明におけるナマコ種苗の放流方法は水に入って放流する又は直接撒くことが好ましく、水に入って配置するのがより好ましく、上記水に入って放流することとは、ナマコ種苗を袋に入れて、ダイバーがナマコリーフまで移動した後、放流することである。
【００３４】
本発明はナマコ種苗を放流した後、１２〜３６か月後にマナマコを収穫する。本発明では、マナマコを収穫する方法について特に限定がなく、当分野通常のマナマコを収穫する方法を使えばよい。
【００３５】
以下、実施例を参照して本発明によって提供される技術案について詳しく説明するが、本発明の保護範囲として限定するものと理解してはいけない。
【００３６】
以下実施例１〜４におけるナマコリーフ部材の貫通孔はいずれも円形で、接続角の内角はいずれも好ましい６０°であり、即ち、各個のナマコリーフ部材は逆「Ｖ」字に沿って海底に配置した後、海底と正三角形を構成する。実施例５におけるナマコリーフの接続角の内角は６５°であり、実施例６におけるナマコリーフ部材の貫通孔は六角形である。
【００３７】
生残率＝収穫時に生き残った尾数（放流エリアから脱出したのも含む）÷放流した種苗数×１００％。 回収率=収穫した尾数（放流エリアのみ）÷放流した種苗数×１００％。
【実施例１】
【００３８】
威海栄成海域(１０００ムー、約０．６７平方キロメートル)
使用した人工ナマコリーフの構造は図１に示し、そのうち１が第一リーフボートで、２が第二リーフボート、３が円形貫通孔である。上記ナマコリーフ施設グループは逆「Ｗ」字型に沿って接合し、全体を「彡」の形で配置し、上記ナマコリーフ施設グループの最も外側の人工ナマコリーフの自由端と海流の方向と間の角度は２０°であり、各隣接する二つのナマコリーフ施設グループの間の間隔は３０ｍであり、各ナマコリーフ施設グループにはそれぞれ９個の人工ナマコリーフを含み、人工ナマコリーフの長さ及び幅はいずれも２ｍであり、円形貫通孔の直径は０．３ｍであり、各ナマコリーフ施設グループの長さが１８ｍ、幅が２ｍ、高さが１．７３２ｍであった。船上クレーンを用いて指定海域の定点に投入した。
池の網ケースで飼育した種苗を選び、選ばれたナマコ種苗の規格は３０尾／斤（６０尾／Kg）〜５０尾／斤（１００尾／Kg）であった。
種苗放流密度は１０尾／平方メートルであり、２０１７年４月２５日に約２６６．８万尾（３３３２５Ｋｇ）を、２０１７年１０月２６日に約４００万尾（５００２５Ｋｇ）を放流し、合計６６６．８万尾（８３３５０Ｋｇ）であった。
２０１８年５月、１０月にダイバーが海に下りて手作業で採捕した。二つのシーズン累積収穫量は規格が１４１．８ｇ／尾の商品ナマコを３１６．７万尾（４４９．１トン）であり、回収率が４７．５％であり、生残率が９８．１％であった。トロール調査によると様々な魚、エビ、カニ、頭足類などその他の経済的漁獲物の資源漁獲密度は、約２９８７．６５Ｋｇ／Ｋｍ２であった。
比較例１
【００３９】
２０１７年から威海栄成海域では従来の方法及び施設によりマナマコの浅瀬底撒き増殖生産をした。
１０００ムー（約０．６７平方キロメートル）の海域に船上クレーンを用いて指定の海域の定点にランダムで混合した石と四角の枠型セメント部材ナマコリーフを３００ムー（約０．２平方キロメートル）投入し、投入したリーフの量は合計３２５０個余りであった。
池の網ケースで飼育した種苗を選び、選ばれたナマコ種苗の規格は３０尾／斤（６０尾／Kg）〜５０尾／斤（１００尾／Kg）であった。
種苗放流密度は１０尾／平方メートルであり、２０１７年４月、１０月に合計６６５．６万尾（８３２００Ｋｇ）を放流した。
２０１８年５月下旬に、マナマコは平均規格が１０３．２ｇ／尾まで成長し、ダイバーが海に下りて手作業で採捕した。採捕した商品ナマコは約合計２１０．１万尾（２１６．８トン）であり、回収率は３１．６％であり、生残率は８９．４％であり、トロール調査によると様々な魚、エビ、カニ、頭足類などその他の経済的漁獲物の資源漁獲密度は、約２５９８．２１Ｋｇ／Ｋｍ２であった。
【００４０】
実施例１と比較例１から分かるように、同じ海域環境、種苗規格及び放流種苗密度などの条件下で、本発明の方法は、従来の方法に比べ、ナマコ種苗成長率を３７％、生残率を１０％以上、回収率を５０％以上、総合的にナマコの収量を１０７％以上、他の漁獲量を１５％以上増加させた。
実施例２
【００４１】
煙台蓬莱海域(８００ムー、約０．５３平方キロメートル)
（１）使用した人工ナマコリーフの構造は図１に示し、ぞのうち１が第一リーフボートで、２が第二リーフボート、３が円形貫通孔である。上記ナマコリーフ施設グループは逆「Ｗ」字型に沿って接合し、全体を「彡」の形で配置し、上記ナマコリーフ施設グループの最も外側の人工ナマコリーフの自由端と海流の方向と間の角度は１５°であり、各隣接する二つのナマコリーフ施設グループの間の間隔は４０ｍであり、各ナマコリーフ施設グループにはそれぞれ１３個の人工ナマコリーフを含み、人工ナマコリーフの長さ及び幅はいずれも２ｍであり、円形貫通孔の直径は０．２ｍであり、各ナマコリーフ施設グループの長さが２６ｍ、幅が２ｍ、高さが１．７３２ｍであった。船上クレーンを用いて指定海域の定点に投入した。
（２）池の網ケースで飼育した種苗を選び、選ばれたナマコ種苗の規格は１００尾／斤（２００尾／Kg）〜１５０尾／斤（３００尾／Kg）であった。
（３）種苗放流密度は１３尾／平方メートルであり、２０１６年１１月２日に約２４２．８万尾（１０４０５．７Ｋｇ）を、２０１７年５月８日に約４５０．９万尾（１７３４２．３Ｋｇ）を放流し、合計６９３．７万尾（２７７４８Ｋｇ）であった。
（４）２０１８年５月、１０月にダイバーが海に下りて手作業で採捕した。二つのシーズン累積収穫量は規格が１２８．５ｇ／尾の商品ナマコを３１７．６万尾（４０８．１トン）であり、回収率が４５．８％であり、生残率が９０．４％であった。トロール調査によると様々な魚、エビ、カニ、頭足類などその他の経済的漁獲物の資源漁獲密度は、約２１７６．３７Ｋｇ／Ｋｍ２であった。
比較例２
【００４２】
２０１６年から煙台蓬莱海域で従来の方法及び施設によりマナマコの浅瀬底撒き増殖生産をした。２０１６年から煙台蓬莱海域では従来の方法及び施設によりマナマコの浅瀬底撒き増殖生産をした。
（１）８００ムー（約０．５３平方キロメートル）の海域に船上クレーンを用いて指定の海域で定点にランダムで混合した石と四角の枠型セメント部材ナマコリーフを２４０ムー（約０．１６平方キロメートル）投入し、投入したリーフの量は合計２６００個余りであった。
（２）池の網ケースで飼育した種苗を選び、選ばれたナマコ種苗の規格は１００尾／斤（２００尾／Kg）〜１５０尾／斤（３００尾／Kg）であった。
（３）種苗放流密度は１３尾／平方メートルであり、２０１６年１１月５日に約２４２．８万尾（１０４４９Ｋｇ）を放流し、２０１７年５月１３日に４５２万尾（１７３４３Ｋｇ）を放流し、合計６９４．８万尾（２７７９２Ｋｇ）であった。
（４）２０１８年５月、１０月に、マナマコは平均規格が９３．４ｇ／尾まで成長し、ダイバーが海に下りて手作業により採捕した。採捕した商品ナマコは約合計２７９．３万尾（２６０．９トン）であり、回収率は４０．２％であり、生残率は７８．２％であり、トロール調査によると様々な魚、エビ、カニ、頭足類などその他の経済的漁獲物の資源漁獲密度は、約１８７０．５４Ｋｇ／Ｋｍ２であった。
【００４３】
実施例２と比較例２によれば分かるように、同じ海域環境、種苗規格及び放流種苗密度などの条件下で、本発明の方法は、従来の方法に比べ、ナマコ種苗成長率を３８％、生残率を１６％以上、回収率を１４％以上、総合的にナマコの収量を５６％以上、他の漁獲量を１６％以上増加させた。
実施例３
【００４４】
青ロウ山海区(８００ムー、約０．５３平方キロメートル)
（１）使用した人工ナマコリーフの構造は図１に示し、ぞのうち１が第一リーフボートで、２が第二リーフボート、３が円形貫通孔である。上記ナマコリーフ施設グループは逆「Ｗ」字型に沿って接合し、全体を「彡」の形で配置し、上記ナマコリーフ施設グループの最も外側の人工ナマコリーフの自由端と海流の方向と間の角度は１０°であり、各隣接する二つのナマコリーフ施設グループの間の間隔は５０ｍであり、各ナマコリーフ施設グループにはそれぞれ４個の人工ナマコリーフを含み、人工ナマコリーフの長さ及び幅はいずれも２ｍであり、円形貫通孔の直径は０．３５ｍであり、各ナマコリーフ施設グループの長さが８ｍ、幅が２ｍ、高さが１．７３２ｍであった。船上クレーンを用いて指定海域の定点に投入した。
（２）作業場で飼育した種苗を選び、選ばれたナマコ種苗の規格は１００尾／斤（２００尾／Kg）〜１５０尾／斤（３００尾／Kg）であった。
（３）種苗放流密度は８尾／平方メートルであり、２０１６年１１月６日に約１１２．１万尾（４４８４Ｋｇ）を、２０１７年５月１２日に約３２３．８万尾（１２９５２Ｋｇ）を放流し、合計４３５．９万尾（１７４３６Ｋｇ）であった。
（４）２０１８年５月、１０月にダイバーが海に下りて手作業で採捕した。二つのシーズン累積収穫量は規格が１１５．４ｇ／尾の商品ナマコを２２３．２万尾（２５７．６トン）であり、回収率が５１．２％であり、生残率が９１．３％であった。トロール調査によると様々な魚、エビ、カニ、頭足類などその他の経済的漁獲物の資源漁獲密度は、約１９９８．７６Ｋｇ／Ｋｍ２であった。
比較例３
【００４５】
２０１６年１１月から青ロウ山海区で従来の方法及び施設によりマナマコの浅瀬底撒き増殖生産をした。
（１）８００ムー（約０．５３平方キロメートル）の海域に船上クレーンを用いて指定の海域で定点にランダムで混合した石と四角の枠型セメント部材ナマコリーフを２４０ムー（役０．１６平方キロメートル）投入し、投入したリーフの量は合計２６００個余りであった。
（２）作業場で飼育した種苗を選び、選ばれたナマコ種苗の規格は１００尾／斤（２００尾／Kg）〜１５０尾／斤（３００尾／Kg）であった。
（３）種苗放流密度は８尾／平方メートルであり、２０１６年１１月９日に約１１２万尾（４０３８Ｋｇ）を放流し、２０１７年５月１６日に３２２万尾（１３３２２Ｋｇ）を放流し、合計４３４万尾（１７３６０Ｋｇ）であった。
（４）２０１８年５月、１０月に、マナマコは平均規格が１０５．２ｇ／尾まで成長し、ダイバーが海に下りて手作業により採捕した。採捕した商品ナマコは約合計１６８．８万尾（１７７．６トン）であり、回収率は３８．９％であり、生残率は８１．３％であり、トロール調査によると様々な魚、エビ、カニ、頭足類などその他の経済的漁獲物の資源漁獲密度は、約１６９６．７４Ｋｇ／Ｋｍ２であった。
【００４６】
実施例３と比較例３から分かるように、同じ海域環境、種苗規格及び放流種苗密度などの条件下で、本発明の方法は、従来の方法に比べ、ナマコ種苗成長率を１０％、生残率を１２％以上、回収率を３２％以上、総合的にナマコの収量を５６％以上、他の漁獲量を１８％以上増加させた。
実施例４
【００４７】
日照三山島海域(１２００ムー、約０．８平方キロメートル)
（１）使用した人工ナマコリーフの構造は図１に示し、ぞのうち１が第一リーフボートで、２が第二リーフボート、３が円形貫通孔である。上記ナマコリーフ施設グループは逆「Ｗ」字型に沿って接合し、全体を「彡」の形で配置し、上記ナマコリーフ施設グループの最も外側の人工ナマコリーフの自由端と海流の方向と間の角度は２５°であり、各隣接する二つのナマコリーフ施設グループの間の間隔は３０ｍであり、各ナマコリーフ施設グループにはそれぞれ６個の人工ナマコリーフを含み、人工ナマコリーフの長さ及び幅はいずれも２ｍであり、円形貫通孔の直径は０．２５ｍであり、各ナマコリーフ施設グループの長さが１２ｍ、幅が２ｍ、高さが１．７３２ｍであった。船上クレーンを用いて指定海域の定点に投入した。
（２）作業場で飼育した種苗を選び、選ばれたナマコ種苗の規格は５００尾／斤（１０００尾／Kg）であった。
（３）種苗放流密度は１４尾／平方メートルであり、２０１５年５月６日に約３９２万尾（３８９０Ｋｇ）を、２０１５年１１月１２日に約７２８万尾（７３１０Ｋｇ）を放流し、合計１１２０万尾（１１２００Ｋｇ）であった。
（４）２０１８年５月、１０月にダイバーが海に下りて手作業で採捕した。二つのシーズン累積収穫量は規格が９２．４ｇ／尾の商品ナマコを６５１．８万尾（６０２．３トン）であり、回収率が５８．２％であり、生残率が７６．３％であった。トロール調査によると様々な魚、エビ、カニ、頭足類などその他の経済的漁獲物の資源漁獲密度は、約２２５６．８７Ｋｇ／Ｋｍ２であった。
比較例４
【００４８】
２０１５年５月から日照三山島海域で従来の方法及び施設によりマナマコの浅瀬底撒き増殖生産をした。
（１）１２００ムー（約０．８平方キロメートル）の海域に船上クレーンを用いて指定の海域で定点にランダムで混合した石と四角の枠型セメント部材ナマコリーフを３６０ムー（約０．２４平方キロメートル）投入し、投入したリーフの量は合計３９００個余りであった。
（２）作業場で飼育した種苗を選び、選ばれたナマコ種苗の規格は５００尾／斤（１０００尾／Kg）であった。
（３）種苗放流密度は１４尾／平方メートルであり、２０１５年５月１１日に約３９０万尾（３９７７Ｋｇ）を放流し、２０１５年１１月１２日に７２２万尾（７１４３Ｋｇ）を放流し、合計１１１２万尾（１１１２０Ｋｇ）であった。
（４）２０１８年５月、１０月に、マナマコは平均規格が９０．３ｇ／尾まで成長し、ダイバーが海に下りて手作業により採捕した。採捕した商品ナマコは約合計４４７万尾（４０３．６トン）であり、回収率は４０．２％であり、生残率は５６．９％であり、トロール調査によると様々な魚、エビ、カニ、頭足類などその他の経済的漁獲物の資源漁獲密度は、約１９４８．２６Ｋｇ／Ｋｍ２であった。
【００４９】
実施例４と比較例４から分かるように、同じ海域環境、種苗規格及び放流種苗密度などの条件下で、本発明の方法は、従来の方法に比べ、ナマコ種苗成長率を２％、生残率を３４％以上、回収率を４５％以上、総合的にナマコの収量を４９％以上、他の漁獲量を１６％以上増加させた。
実施例５
【００５０】
煙台長島海域(６００ムー、約０．４平方キロメートル)
（１）使用した人工ナマコリーフは第一リーフボート１、第二リーフボート２、円形貫通孔３を含む。人工ナマコリーフボートの長さと幅は１．５ｍであり、ナマコリーフの貫通孔は一辺０．３ｍの正方形であり、二つのナマコリーフボートは６５°の内角で逆 「Ｖ」形に接続して一つの人工ナマコリーフを呈する。各ナマコリーフ施設グループにはそれぞれ８個の人工ナマコリーフを含み、各ナマコリーフ施設グループの長さが１２ｍ、幅が１．５ｍ、高さが１．２６５ｍであった。上記ナマコリーフ施設グループは逆「Ｗ」字型に沿って接合し、全体を「彡」の形で配置し、上記ナマコリーフ施設グループの最も外側の人工ナマコリーフの自由端と海流の方向と間の角度は１０°であり、各隣接する二つのナマコリーフ施設グループの間の間隔は３０ｍであり、ナマコリーフ施設グループは船上クレーンを用いて指定海域の定点に投入した。
（２）作業場で飼育した種苗を選び、選ばれたナマコ種苗の規格は２５〜３５尾／斤（尾／Kg）であった。
（３）種苗放流密度は９尾／平方メートルであり、２０１６年５月１２日に約１２２万尾（２０３３３Ｋｇ）を、２０１６年１１月２日に約２４０万尾（４００００Ｋｇ）を放流し、合計３６２万尾（６０３３３Ｋｇ）であった。
（４）２０１７年５月、１０月にダイバーが海に下りて手作業で採捕した。二つのシーズン累積収穫量は規格が１０２．５ｇ／尾の商品ナマコを１７３．１万尾（１７７．４トン）であり、回収率が４７．８％であり、生残率が９８．４％であった。トロール調査によると様々な魚、エビ、カニ、頭足類などその他の経済的漁獲物の資源漁獲密度は、約２９７４．１３Ｋｇ／Ｋｍ２であった。
比較例５
【００５１】
２０１６年５月から煙台長島海域で従来の方法及び施設によりマナマコの浅瀬底撒き増殖生産をした。
（１）６００ムー（約０．４平方キロメートル）の海域に船上クレーンを用いて指定の海域で定点にランダムで混合した石と四角の枠型セメント部材ナマコリーフを１８０ムー（約０．１２平方キロメートル）投入し、投入したリーフの量は合計１９５０個余りであった。
（２）作業場で飼育した種苗を選び、選ばれたナマコ種苗の規格は２５〜３５尾／斤（５０〜７０尾／Kg）であった。
（３）種苗放流密度は９尾／平方メートルであり、２０１６年５月７日に約１２５万尾（２０８３３Ｋｇ）を放流し、２０１６年１１月３日に２３７万尾（３９５００Ｋｇ）を放流し、合計３６２万尾（６０３３３Ｋｇ）であった。
（４）２０１７年５月、１０月に、マナマコは平均規格が９０．７ｇ／尾まで成長し、ダイバーが海に下りて手作業により採捕した。採捕した商品ナマコは約合計１２８．９万尾（１１６．９トン）であり、回収率は３５．６％であり、生残率は８８．６％であり、トロール調査によると様々な魚、エビ、カニ、頭足類などその他の経済的漁獲物の資源漁獲密度は、約２５６３．９Ｋｇ／Ｋｍ２であった。
【００５２】
実施例５と比較例５から分かるように、同じ海域環境、種苗規格及び放流種苗密度などの条件下で、本発明の方法は、従来の方法に比べ、ナマコ種苗成長率を１３％、生残率を１１％以上、回収率を３４％以上、総合的にナマコの収量を５１．８％以上、他の漁獲量を１６％以上増加させた。
実施例６
【００５３】
威海乳山海域(７５０ムー、約０．５平方キロメートル)
（１）使用した人工ナマコリーフは第一リーフボート１、第二リーフボート２、円形貫通孔３を含む。人工ナマコリーフボートの長さと幅は２．５ｍであり、ナマコリーフの貫通孔は対角線の長さが０．３ｍの六角形であり、二つのナマコリーフボートは５５°の内角で逆 「Ｖ」形に接続して一つの人工ナマコリーフを呈する。各ナマコリーフ施設グループにはそれぞれ１２個の人工ナマコリーフを含み、各ナマコリーフ施設グループの長さが３０ｍ、幅が２．５ｍ、高さが２．２１８ｍであった。上記ナマコリーフ施設グループは逆「Ｗ」字型に沿って接合し、全体を「彡」の形で配置し、上記ナマコリーフ施設グループの最も外側の人工ナマコリーフの自由端と海流の方向と間の角度は１５°であり、各隣接する二つのナマコリーフ施設グループの間の間隔は５０ｍであり、ナマコリーフ施設グループは船上クレーンを用いて指定海域の定点に投入した。
（２）作業場で飼育した種苗を選び、選ばれたナマコ種苗の規格は１４５〜１５５尾／斤（２９０〜３１０尾／Kg）であった。
（３）種苗放流密度は１１尾／平方メートルであり、２０１５年５月９日に約１８３万尾（６１００Ｋｇ）を、２０１５年１１月４日に約３６７万尾（１２２３３Ｋｇ）を放流し、合計５５０万尾（１８３３３Ｋｇ）であった。
（４）２０１７年５月、１０月にダイバーが海に下りて手作業で採捕した。二つのシーズン累積収穫量は規格が１２１．４ｇ／尾の商品ナマコを２９４．３万尾（３５７．３トン）であり、回収率が５３．５％であり、生残率が９２．７％であった。トロール調査によると様々な魚、エビ、カニ、頭足類などその他の経済的漁獲物の資源漁獲密度は、約２３４７．６５Ｋｇ／Ｋｍ２であった。
比較例６
【００５４】
２０１５年５月から威海乳山海域で従来の方法及び施設によりマナマコの浅瀬底撒き増殖生産をした。
（１）１２００ムー（約０．８平方キロメートル）の海域に船上クレーンを用いて指定の海域で定点にランダムで混合した石と四角の枠型セメント部材ナマコリーフを２２５ムー（約０．１５平方キロメートル）投入し、投入したリーフの量は合計２４００個余りであった。
（２）作業場で飼育した種苗を選び、選ばれたナマコ種苗の規格は１４５〜１５５尾／斤（２９０〜３１０尾／Kg）であった。
（３）種苗放流密度は１１尾／平方メートルであり、２０１５年５月９日に約１８５万尾（６１６６．７Ｋｇ）を放流し、２０１５年１１月４日に３６５万尾（１２１６６．７Ｋｇ）を放流し、合計５５０万尾（１８３３３．３Ｋｇ）であった。
（４）２０１７年５月、１０月に、マナマコは平均規格が９７．１ｇ／尾まで成長し、ダイバーが海に下りて手作業により採捕した。採捕した商品ナマコは約合計２２１．５万尾（２１５．１トン）であり、回収率は４０．３％であり、生残率は７８．６％であり、トロール調査によると様々な魚、エビ、カニ、頭足類などその他の経済的漁獲物の資源漁獲密度は、約２００６．５３Ｋｇ／Ｋｍ２であった。
【００５５】
実施例６と比較例６から分かるように、同じ海域環境、種苗規格及び放流種苗密度などの条件下で、本発明の方法は、従来の方法に比べ、ナマコ種苗成長率を２５％、生残率を１８％以上、回収率を３３％以上、総合的にナマコの収量を６６％以上、他の漁獲量を１７％以上増加させた。
【００５６】
上記実施例及び比較例から分かるように、本発明によって提供される人工ナマコリーフ及び方法は、適切な放流密度を大幅に向上させ、生残率を向上させ、育成期間を短縮し、回収率及び他の漁獲物資源の漁獲量を増加させる。
上記は本発明の好ましい実施形態にすぎず、注意すべきことは、当業者にとって、本発明の原理から逸脱することなく、いくつかの改良及び修正を行うことができるが、これらの改良及び修正も本発明の保護範囲に見なされるべきである。
【図１】
2021515536.tif 000003
【図２】
2021515536.tif 000004
【国際調査報告】
2021515536.tif 000005
2021515536.tif 000006
2021515536.tif 000007
2021515536.tif 000008